(57)【要約】【課題】アンテナと回路基板との電気接続に関する部品点数を削減しコストダウンを図ることのできる携帯端末装置を提供する。【解決手段】携帯電話機の固定側筐体１００を構成する固定リアケース１２０に設けたアンテナ１３０は、アンテナ本体と、当該アンテナ本体と一体的に形成される延出部１３２とで構成され、固定フロントケース１１０に設けた回路基板１６０の一端部には、接続端子１６１が設けられ、固定フロントケース１１０と固定リアケース１２０との組み付け時にアンテナ１３０の延出部１３２は回路基板１６０の接続端子１６１と当接する。【選択図】        図６
2008010981.tif 000002
【特許請求の範囲】
【請求項１】
表示装置を有する可動側筐体と連結部を介して重ね合わせ自在に連結される固定側筐体とを備える携帯端末装置であって、
前記固定側筐体は、スピーカと、当該スピーカを支持固定する固定板と、当該固定板の下部に設けた回路基板とを有する第一の筐体ケースと、上部の位置にアンテナエレメントを有する第二の筐体ケースとから構成され、
前記アンテナエレメントは、アンテナ本体と、当該アンテナ本体の一端部から延出されるとともに、アンテナ本体と一体的に形成される延出部材とで構成され、
前記回路基板の一端部であって、前記アンテナエレメントの配設位置と対向する位置には接続端子が設けられ、
前記第一の筐体ケースと前記第二の筐体ケースとの組み付け時には、前記アンテナエレメントの延出部材と前記回路基板の一端部に形成された接続端子とが当接することを特徴とする携帯端末装置。
【請求項２】
前記スピーカは、前記回路基板の一端部に形成された接続端子の配設位置よりも所定量離隔した下方の位置に配設されることを特徴とする請求項１に記載の携帯端末装置。
【請求項３】
前記スピーカを支持固定する固定板の一端部には、切り欠き部が形成され、前記第一の筐体ケースと前記第二の筐体ケースとの組み付け時に、前記アンテナエレメントの延出部材は、前記固定板の切り欠き部を通じて、前記回路基板の接続端子に当接することを特徴とする請求項１または２に記載の携帯端末装置。
【請求項４】
前記アンテナエレメントは、当該アンテナエレメントの材料を櫛歯状に形成することにより構成されていることを特徴とする請求項１、２または３に記載の携帯端末装置。
【請求項５】
前記第二の筐体ケースの上部側であって、且つ、前記スピーカの配設位置より上部位置には、当該スピーカから所定の警報音を出力させるための警報スイッチが設けられることを特徴とする請求項１〜４の何れか一つに記載の携帯端末装置。
【発明の詳細な説明】
【技術分野】
【０００１】
本発明は、携帯電話機などの電話機能を有する携帯端末装置に関し、特に、カメラ機能などを有する多機能化された携帯端末装置に関するものである。
【背景技術】
【０００２】
近年の携帯電話機には、多機能化を図るべく高画素のデジタルカメラ（カメラ機能）やラジオ機能などが搭載されており、今後もさらなる多機能化された携帯電話機の登場が予想される。ここで、近年の携帯電話機には多機能化された種々の機能が要求される反面、部品の高密度実装化とともに、携帯電話機の小型化、軽量化が求められているため、携帯電話機の内部に設ける電子部品の部品点数や周辺モジュールの配置（レイアウト）が重要な課題となっている。具体的には、携帯電話機の小型化、軽量化を達成すべく携帯電話機の種々の機能を損なうことなく携帯電話機の内部に実装する部品点数を削減することが要求されている。
【０００３】
［従来の携帯電話機の内部構成］
ここで、本発明の実施例を示す図１及び図９〜図１１を参照して、従来の携帯電話機の内部構成を簡単に説明する。図９は、従来の携帯電話機を構成する固定リアケースの内部構成を、図１０は、同じく携帯電話機を構成する固定フロントケースの内部構成を示す図である。また、図１１は、従来のアンテナと回路基板との当接状態を示す斜視図である。また、図１２は、図１１のアンテナと回路基板との当接状態を示す平面図を示している。
【０００４】
携帯電話機は、送話用に用いられるテンキー（０〜９）ダイヤルキー１１１や機能キー（モード設定キー）１１２などの各種操作キーを備える固定側筐体１００と、この固定側筐体１００と、ほぼ同等サイズに形成されたＬＣＤ（液晶表示装置）２１１を備える可動側筐体２００とを、ヒンジ３００により折り畳み自在に連結して構成されている。
【０００５】
このうち、固定側筐体１００は、ダイヤルキー１１１などの各種操作キー側に位置する固定フロントケース１１０と、背面側に位置する固定リアケース１２０との２分割構造により構成されている（図１参照）。
【０００６】
図９に示すように、固定側筐体１００を構成する固定リアケース１２０の上部位置には、電波の送信及び外部からの電波の受信を行なうアンテナ１３０ａが設けられている。また、この固定リアケース１２０の下部位置には、外部に警報を報知するための警報スイッチ１５０が設けられている。
【０００７】
一方、図１０に示すように、固定側筐体１００を構成する固定リアケース１２０の上部位置には、固定板１８０に取り付け固定されたスピーカ１７０が配設されている。また、このスピーカ１７０の下側には回路基板１６０が設けられている。固定板１８０の一端部（図１０の右側）の角部には、円孔１３４ａを有する接続バネ部材１３４が設けられ、この接続バネ部材１３４の下端部は、回路基板１６０の一端部（図１１の右端部）の角部に形成された接続端子１６１に当接している。
【０００８】
図１１及び図１２に示すように、アンテナ１３０ａは、長尺状に形成されたアンテナ本体１３１ａと、このアンテナ本体１３１ａの一端部(図１１、１２の右端部)からほぼ９０度屈曲する屈曲部１３２ａとで構成されている。また、この屈曲部１３２ａの下方には、取り付けネジ４００(図６参照)を挿通させるための円孔１３３ａが形成されている。
【０００９】
図９及び図１０に示す固定フロントケース１１０と固定リアケース１２０とを組み付ける場合には、４本の取り付けネジ４００(図６)を固定リアケース１２０の取り付け部１２８に形成した通孔１２７、アンテナ１３０ａの円孔１３３ａ、接続バネ部材１３４の円孔１３４ａにそれぞれ挿通させ、さらに、この取り付けネジ４００を固定フロントケース１１０の取り付け部１０３に形成した４箇所のネジ孔１０２に螺合させ固定する。
【００１０】
これにより、アンテナ１３０ａと回路基板１６０との信号経路は、接続バネ部材１３４を介して導通させることができる。このように、上述した従来の携帯電話機１０の場合、部品の高密度実装化による携帯電話機の小型化を図るとともに、アンテナ１３０ａとスピーカ１７０との干渉を接続バネ部材１３４を設けることにより回避する構成としている。
【００１１】
すなわち、従来の携帯電話機１０では、携帯電話機の小型化、部品の高密度実装化を図るべくアンテナ１３０ａやスピーカ１７０や他の周辺モジュール類の配置を考慮したレイアウト設計がなされている。
【００１２】
また、この種の携帯端末装置の多機能化及び小型化を両立させる携帯端末装置の構成については、上述した従来の構成以外にも、例えば、特許文献１には、カメラモジュールの取り付けを工夫し、カメラモジュールを支持して回路基板とともにシャーシに固定されるカメラホルダを備えることにより、携帯端末装置の多機能化と小型化を両立させる技術が開示されている。本公知例の場合、カメラホルダを備えているため、カメラモジュールは、カメラモジュールをシャーシに直接固定する場合に必要となるシャーシに設けられる枠などが不要となり、部品点数の低減を図ることができる。さらに、シャーシ上にフレキシブル基板等が広がっていても高精度に固定することが可能である。
【００１３】
【特許文献１】特開２００６−６０３９６号公報
【発明の開示】
【発明が解決しようとする課題】
【００１４】
ところが、上述した従来例で示した携帯電話機の場合には、携帯電話機内に配設する部品の高密度実装化を図るという観点からアンテナ１３０ａと回路基板１６０との間に別途、別部品（接続バネ部材１３４）を介在させる必要が生じるため、部品点数が２部品となり、依然として、部品点数を削減することができないうえ、接点間に粉塵などの異物が介在した場合には、携帯電話機１０による送受信時に信号の途絶など送受信時の不具合が発生する恐れがあるという問題がある。また、この場合、接続用の別部品（接続バネ部材１３４）の組み付け作業が必要となり、これにより、作業工程の簡素化を図ることができないという問題がある。
【００１５】
また、特許文献１に開示された公知例の場合には、アンテナの取り付けについて着目するとともに、さらなる高密度の部品実装を考慮すると、アンテナと回路基板の電極端子との接触位置がスピーカの配設位置と近接し重なった場合、このスピーカとの干渉を回避するとともに、アンテナと回路基板との電気的接触を図るべく、前述した従来例と同様にアンテナと回路基板との間に別部品（接続バネ部材）を介在させる必要があり、この結果、依然として、部品点数を削減することができないという問題がある。
【００１６】
そこで、この発明は、上述した従来技術の課題を解決するためになされたものであり、アンテナと回路基板との電気接続に関する部品点数を削減しコストダウンを図ることのできる携帯端末装置を提供することを目的とする。
【課題を解決するための手段】
【００１７】
上述した課題を解決し、目的を達成するため、請求項１に記載の発明は、表示装置を有する可動側筐体と連結部を介して重ね合わせ自在に連結される固定側筐体とを備える携帯端末装置であって、前記固定側筐体は、スピーカと、当該スピーカを支持固定する固定板と、当該固定板の下部に設けた回路基板とを有する第一の筐体ケースと、上部の位置にアンテナエレメントを有する第二の筐体ケースとから構成され、前記アンテナエレメントは、アンテナ本体と、当該アンテナ本体の一端部から延出されるとともに、アンテナ本体と一体的に形成される延出部材とで構成され、前記回路基板の一端部であって、前記アンテナエレメントの配設位置と対向する位置には、接続端子が設けられ、前記第一の筐体ケースと前記第二の筐体ケースとの組み付け時には、前記アンテナエレメントの延出部材と前記回路基板の一端部に形成された接続端子とが当接することを特徴とする。
【００１８】
また、請求項２に記載の発明は、上記発明において、前記スピーカは、前記回路基板の一端部に形成された接続端子の配設位置よりも所定量離隔した下方の位置に配設されることを特徴とする。
【００１９】
また、請求項３に記載の発明は、上記発明において、前記スピーカを支持固定する固定板の一端部には、切り欠き部が形成され、前記第一の筐体ケースと前記第二の筐体ケースとの組み付け時に、前記アンテナエレメントの延出部材は、前記固定板の切り欠き部を通じて、前記回路基板の接続端子に当接することを特徴とする。
【００２０】
また、請求項４に記載の発明は、上記発明において、前記アンテナエレメントは、当該アンテナエレメントの材料を櫛歯状に形成することにより構成されていることを特徴とする。
【００２１】
また、請求項５に記載の発明は、上記発明において、前記第二の筐体ケースの上部側であって、且つ、前記スピーカの配設位置より上部位置には、当該スピーカから所定の警報音を出力させるための警報スイッチが設けられることを特徴とする。
【発明の効果】
【００２２】
請求項１の発明によれば、第一の筐体ケースに設けられるアンテナエレメントは、アンテナ本体と、当該アンテナ本体の一端部から延出されるとともに、アンテナ本体と一体的に形成される延出部材とで構成され、第二の筐体ケースに設けられる回路基板の一端部には、延出部材と当接自在な接続端子が設けられるので、第一の筐体ケースと第二の筐体ケースとの組み付け時には、アンテナエレメントの延出部材と回路基板の一端部に形成された接続端子とが当接するので、アンテナと回路基板との間に別途、接続用の別部材（接続バネ部材）介在させる必要がなくなるため、部品数の低減によりコストダウンを図ることができる。また、従来必要であった接続用の別部品の組み付け作業が不要となり、これにより、作業工程の簡素化を図ることができる。
【００２３】
また、アンテナの延出部材と当接する回路基板の接続端子との接点数は、１箇所となり、これにより、接点間での異物が介在することを回避することができ、これにより、携帯端末装置による信号の送受信時に信号の途絶などの送受信時の不具合を回避することができる。
【００２４】
また、請求項２の発明によれば、スピーカは、回路基板の一端部に形成された接続端子の配設位置よりも所定量離隔した下方の位置に配設されるので、第一の筐体ケースと第二の筐体ケースとの組み付け時に、アンテナエレメントの延出部材とスピーカとが干渉することはなく、アンテナエレメントと回路基板との電気的接続を容易に行なうことができる。また、アンテナエレメントとスピーカとを所定量離隔させるレイアウト構成としたので、第一の筐体ケースと第二の筐体ケースとの組み付け時に、アンテナエレメントにスピーカが近接することによるアンテナ特性の弊害を回避することができる。
【００２５】
また、請求項３の発明によれば、スピーカを支持固定する固定板の一端部には、切り欠き部が形成され、第一の筐体ケースと前記第二の筐体ケースとの組み付け時に、アンテナエレメントの延出部材は、固定板の切り欠き部を通じて、回路基板の接続端子に当接するので、第一の筐体ケースと第二の筐体ケースとの組み付け時に、アンテナエレメントの延出部材とスピーカとが干渉することはなく、アンテナエレメントと回路基板との接続を容易に行なうことができる。
【００２６】
また、請求項４の発明によれば、アンテナエレメントは、当該アンテナエレメントの材料を櫛歯状に形成することにより構成されているので、アンテナエレメント自体の長さ形状を短くさせることなく、通常のアンテナエレメントと同様の送受信機能を備えることができるうえ、アンテナエレメント自体のサイズ（横幅の寸法）を小型化とすることができる。
【００２７】
また、請求項５の発明によれば、第二の筐体ケースの上部側であって、且つ、スピーカの配設位置より上部位置には、当該スピーカから所定の警報音を出力させるための警報スイッチが設けられるので、携帯端末装置の使用時に警報スイッチの操作を容易に行なうことができる。
【発明を実施するための最良の形態】
【００２８】
以下に添付図面を参照して、この発明に係る携帯端末装置の好適な実施例を詳細に説明する。本実施例は、携帯端末装置として携帯電話機への適用例を示す。
【００２９】
ここで、図１〜図３は、本発明における実施例に係る携帯電話機１０を示す外観斜視図である。図１〜図３に示すように、携帯電話機１０は、折り畳み式に構成されており、図１は、開いた状態の携帯電話機１０を示す斜視図を、図２は、閉じた状態の携帯電話機１０の表面を示す斜視図を、図３は、閉じた状態の携帯電話機１０の裏面を示す斜視図をそれぞれ示している。なお、以下に示す実施例によりこの発明が限定されるものではない。
【実施例】
【００３０】
図１に示すように、携帯電話機１０は、送話用に用いられるとともに、テンキー（０〜９）を有するダイヤルキー１１１や機能キー（モード設定キー）１１２などの各種操作キーを備える固定側筐体１００と、この固定側筐体１００と、ほぼ同等サイズに形成されたＬＣＤ（液晶表示装置）２１１を備える可動側筐体２００とを、ヒンジ３００により折り畳み自在に連結して構成されている。同図に示すように、これら固定側筐体１００及び可動側筐体２００は、箱形状に形成され、その材料には、例えば、軽量で高強度のマグネシウム合金などが使用される。
【００３１】
このうち、固定側筐体１００は、ダイヤルキー１１１などの各種操作キー側(図１の上側)に位置する固定フロントケース１１０と、背面側(図１の下側)に位置する固定リアケース１２０との２分割構造から構成されている。同図に示すように、固定フロントケース１１０には、ダイヤルキー１１１、機能キー（モード設定キー）１１２、メニューキー１１３、電話帳キー１１４、テレビ電話キー１１５、カメラキー１１６などの各種操作キーと、携帯電話機１０の利用者の音声を電気信号に変換するマイクロホンが内部に配設された送話口１１７と発音口１１８とが設けられている。
【００３２】
また、後述するように、この固定フロントケース１１０の内部には、音声などを出力するためのスピーカ１７０などを備えている。また、固定リアケース１２０の内部には、電波の送受信を行なうためのアンテナ１３０などを備えている。これら両ケース１１０、１２０は、それぞれ４箇所の位置で取り付けネジ４００（図３参照）によるネジ止め固定により組み付けられている。
【００３３】
同様に、可動側筐体２００は、ＬＣＤ２１１（液晶表示装置）の表示部側に位置する可動フロントケース２１０と、背面側に位置する可動リアケース２２０との２分割構造から構成されている。これら、両ケース２１０、２２０もそれぞれ４箇所の位置で取り付けネジ(図示せず)により取り付け固定される。
【００３４】
このうち、可動フロントケース２１０には、前述したＬＣＤ２１１（液晶表示装置）が設けられており、さらに、このＬＣＤ２１１の上部側には、携帯電話機１０の使用者の耳を当てて音声を聞き取るための受話口２１２と撮影を行なうために内蔵されたカメラの撮影窓２１３とが設けられている。すなわち、受話口２１２の内側に相当する位置には、レシーバが、撮影窓２１３の内側に相当する位置には、カメラが設けられている。また、ＬＣＤ２１１の下部側には３個の押しボタン２１４が配設されている。
【００３５】
また、図２に示すように、可動フロントケース２１０の表面のほぼ中央部には、液晶表示画面を視認するための表示窓２１５が設けられている。また、図３に示すように、固定リアケース１２０の裏面には、外部に警報を報知するための警報スイッチ１５０と、内部にバッテリが収納されたバッテリ収納部１９０とを設けている。
【００３６】
次に、図４〜図６を参照して、固定側筐体１００を構成する固定フロントケース１１０及び固定リアケース１２０の内部構成について説明する。図４は、固定リアケース１２０の内部を示す構成図を、図５は、固定フロントケース１１０の内部を示す構成図をそれぞれ示している。
【００３７】
［固定リアケース１２０の内部構成］
先ず、図４を参照して、固定リアケース１２０の内部構成の詳細を説明する。図４に示すように、固定リアケース１２０は、薄型の箱形状に形成された筐体シャーシ１２１により構成され、この筐体シャーシ１２１の内部には、上から順に電波の送信及び外部からの電波の受信を行なうアンテナ１３０を埋設した樹脂製のホルダ１４０を固定するためのホルダ保持部１２２と、警報スイッチ１５０を固定するためのスイッチ保持部１２３と、スピーカ１７０(図５)用の通孔１２４と、回路基板１６０(図５)を保護するシールド部１２５とがそれぞれ形成されている。
【００３８】
そして、ホルダ保持部１２２にアンテナ１３０を埋設したホルダ１４０が取り付け固定されている。このように、アンテナ１３０を携帯電話機１０のヒンジ３００側に配設するのは、バッテリによるアンテナ感度の悪影響を回避するためである。なお、アンテナ１３０の構成の詳細については、本発明の特徴部分であるため、後述する。また、ホルダ１４０の角部(図４の右端部)には、取り付けネジ４００(図６)を挿通させるための通孔１４１が形成されている。また、スイッチ保持部１２３には、警報スイッチ１５０が取り付け固定されている。
【００３９】
前述したように、警報スイッチ１５０をＯＮ操作することにより、所定の警報音を外部に報知することができる。同図に示すように、本実施例では、警報スイッチ１５０は、携帯電話機１０の上部位置に設けられているため、使用者による使い勝手を容易とすることができる。
【００４０】
また、同図に示すように、固定リアケース１２０（筐体シャーシ１２１）の角部（図４の４箇所の位置）には、この固定リアケース１２０に固定フロントケース１１０を組み付け時に、取り付けネジ４００により締結するための通孔１２７が形成された取り付け部１２８が立設されている。
【００４１】
［固定フロントケース１１０の内部構造］
次に、図５、６を参照して、固定フロントケース１１０の内部構成の詳細を説明する。図６は、アンテナ１３０と回路基板１６０との当接状態を示す側面図を示している。図５、６に示すように、固定フロントケース１１０は、固定リアケース１２０と同様に薄型の箱形状に形成された筐体シャーシ１０１により構成され、この筐体シャーシ１０１の内部には、携帯電話機１０全体の制御を行なう回路基板１６０と、この回路基板１６０の上面側（図６の上側）に位置するスピーカ１７０を所定の位置に固定する固定板１８０とが設けられている。
【００４２】
この固定板１８０の一端部(図５の右側)には、切り欠き部１８１が形成されている。後述するように、固定フロントケース１１０と固定リアケース１２０の組み付け時に、アンテナ１３０の延出部１３２は、固定板１８０の切り欠き部１８１を通じて、回路基板１６０の接続端子１６１に当接することができる。また、固定板１８０には、スピーカ１７０の配設位置に隣接して、回路基板１６０よりも小型に形成された補助基板１６５が取り付け固定されている。
【００４３】
また、同図に示すように、固定フロントケース１１０（筐体シャーシ１０１）の角部（図５の４箇所の位置）には、この固定フロントケース１１０と固定リアケース１２０との組み付け時に、取り付けネジ４００(図６)により両ケース１１０、１２０を締結するためのネジ孔１０２が形成された取り付け部１０３が立設されている。
【００４４】
ここで、本実施例に示す携帯電話機１０の特徴は、アンテナ１３０の構成及びスピーカ１７０との位置関係に特徴がある。概略的には、固定フロントケース１１０内のスピーカ１７０の配設位置を下側にレイアウト変更（調整）することにより、アンテナ１３０とスピーカ１７０との干渉を回避する構成としている。このため、以下、前述した図６と図７及び図８を参照して、このアンテナ１３０の構成及びスピーカ１７０の位置関係の詳細について説明する。図７は、アンテナ１３０と回路基板１６０との当接状態を示す斜視図を、図８は、図６の平面図をそれぞれ示している。
【００４５】
すなわち、図６〜図８に示すように、アンテナ１３０は、長尺状に形成されたアンテナ本体１３１と、このアンテナ本体１３１の一端部(図４の左端部、図７、８の右端部)から延出されるとともに、アンテナ本体１３１と一体的に形成される延出部１３２とで構成されている。また、アンテナ本体１３１と延出部１３２との間には、取り付けネジ４００を挿通させるための円孔１３３が形成されている。
【００４６】
アンテナ１３０の材料には、強度、電気伝導度、耐磨耗性、ばね特性が優れている「りん青銅」が使用され、アンテナ本体１３１から延出された延出部１３２の先端部には、金メッキが施されている。
【００４７】
ここで、アンテナ本体１３１は、全体が櫛歯状に構成されているため、アンテナ自体の長さ形状を短くさせることなく、通常のアンテナと同様の送受信機能を備えることができるうえ、アンテナ自体のサイズ（長さ寸法）を小型とすることができる。
【００４８】
そして、同図に示すように、固定フロントケース１１０と固定リアケース１２０とを組み付けた時に、スピーカ１７０の配設位置は、アンテナ１３０の配設位置及び回路基板１６０の接続端子１６１の配置位置よりも所定量下方(図５の下側、図６の左側)に位置する構成としている。このように、アンテナ１３０とスピーカ１７０とを所定量離隔させるレイアウト構成とすることにより、アンテナ１３０とスピーカ１７０との干渉を回避するとともに、アンテナ１３０とスピーカ１７０とが近接することによるアンテナ特性の弊害を回避することができる。
【００４９】
すなわち、固定フロントケース１１０と固定リアケース１２０を組み付ける場合には、固定リアケース１２０の４箇所の取り付け部１２８に形成した通孔１２７から取り付けネジ４００(図６)を４本挿通させ、この取り付けネジ４００を固定フロントケース１１０に設けた取り付け部１０３に形成した４箇所のネジ孔１０２に螺合させることにより締結固定する。
【００５０】
図６に示すように、取り付けネジ４００は、固定リアケース１２０の取り付け部１２８に形成された通孔１２７とアンテナ１３０の円孔１３３、ホルダ１４０の通孔１４１を挿通し、固定フロントケース１１０の取り付け部１０３に形成されたネジ孔１０２に螺合するため、これにより、固定フロントケース１１０と固定リアケース１２０とを組み付け固定することができる。
【００５１】
以上説明したように、本実施例の携帯電話機１０の場合、固定フロントケース１１０と固定リアケース１２０との組み付け時に、固定リアケース１２０に設けたアンテナ１３０の延出部１３２は、固定板１８０の切り欠き部１８１を通じて、回路基板１６０の接続端子１６１に当接することができ、これにより、アンテナ１３０と回路基板１６０との信号経路を導通させることができる。そして、この場合、固定フロントケース１１０に配設されているスピーカ１７０の位置は、アンテナ１３０の配設位置から離隔するとともに、このアンテナ１３０の延出部１３２と干渉しない位置に選定されているため、従来例で示したようなアンテナ１３０と回路基板１６０との間に介在する別部品（接続バネ部材）を不要とすることができる。
【００５２】
［他の実施例］
なお、本実施例では、ヒンジによる折り畳み方式の携帯電話機への適用例として説明したが、図示例のヒンジ構造に限らず各種ヒンジ構造に適用でき、さらには、ヒンジ構造による折り畳み方式に限らず、例えばスライド方式や平面内回転方式の連結部構成によって固定側筐体に対して可動側筐体を重ね合わせ自在としたものであっても同様に適用することができる。
【００５３】
また、本実施例では、携帯端末装置として、携帯電話機への適用例として説明したが、本発明はこれに限定されるものではなく、ＰＤＡ（PersonalDigitalAssistants）のような小型情報処理端末、小型音楽再生装置、携帯テレビ、携帯型ゲーム機等の他の各種携帯端末装置の場合にも適用することができる。
【００５４】
（付記１）表示装置を有する可動側筐体と連結部を介して重ね合わせ自在に連結される固定側筐体とを備える携帯端末装置であって、
前記固定側筐体は、スピーカと、当該スピーカを支持固定する固定板と、当該固定板の下部に設けた回路基板とを有する第一の筐体ケースと、上部の位置にアンテナエレメントを有する第二の筐体ケースとから構成され、
前記アンテナエレメントは、アンテナ本体と、当該アンテナ本体の一端部から延出されるとともに、アンテナ本体と一体的に形成される延出部材とで構成され、
前記回路基板の一端部であって、前記アンテナエレメントの配設位置と対向する位置には、接続端子が設けられ、
前記第一の筐体ケースと前記第二の筐体ケースとの組み付け時には、前記アンテナエレメントの延出部材と前記回路基板の一端部に形成された接続端子とが当接することを特徴とする携帯端末装置。
【００５５】
（付記２）前記スピーカは、前記回路基板の一端部に形成された接続端子の配設位置よりも所定量離隔した下方の位置に配設されることを特徴とする付記１に記載の携帯端末装置。
【００５６】
（付記３）前記スピーカを支持固定する固定板の一端部には、切り欠き部が形成され、前記第一の筐体ケースと前記第二の筐体ケースとの組み付け時に、前記アンテナエレメントの延出部材は、前記固定板の切り欠き部を通じて、前記回路基板の接続端子に当接することを特徴とする付記１または２に記載の携帯端末装置。
【００５７】
（付記４）前記アンテナエレメントは、当該アンテナエレメントの材料を櫛歯状に形成することにより構成されていることを特徴とする付記１、２または３に記載の携帯端末装置。
【００５８】
（付記５）前記第二の筐体ケースの上部側であって、且つ、前記スピーカの配設位置より上部位置には、当該スピーカから所定の警報音を出力させるための警報スイッチが設けられることを特徴とする付記１〜４の何れか一つに記載の携帯端末装置。
【００５９】
（付記６）前記アンテナエレメントの延出部材は、前記第一の筐体ケースと前記第二の筐体ケースとの組み付け時に、前記回路基板の接続端子に対して弾性的に当接することを特徴とする付記１〜５の何れか一つに記載の携帯端末装置。
【００６０】
（付記７）前記アンテナエレメントの材料には、りん青銅が使用されるとともに、当該アンテナエレメントの延出部材には、金メッキが施されていることを特徴とする付記１〜６の何れか一つに記載の携帯端末装置。
【産業上の利用可能性】
【００６１】
以上のように、本発明に係る携帯端末装置は、多機能化された携帯電話機等の携帯端末装置に有用であり、特に、アンテナと回路基板との電気接続に関する部品点数を削減しコストダウンを図ることのできる携帯端末装置に適している。
【図面の簡単な説明】
【００６２】
【図１】本発明の実施例に係る携帯電話機を開いた時の状態を示す斜視図である。
【図２】本発明の実施例に係る携帯電話機を閉じた時の表面を示す斜視図である。
【図３】本発明の実施例に係る携帯電話機を閉じた時の裏面を示す斜視図である。
【図４】固定側筐体を構成する固定リアケースの内部を示す構成図である。
【図５】固定側筐体を構成する固定フロントケースの内部を示す構成図である。
【図６】アンテナと回路基板との当接状態を示す側面図である。
【図７】アンテナと回路基板との当接状態を示す斜視図である。
【図８】図６のアンテナと回路基板との当接状態を示す平面図である。
【図９】従来の固定側筐体を構成する固定リアケースの内部を示す構成図である。
【図１０】従来の固定側筐体を構成する固定フロントケースの内部を示す構成図である。
【図１１】従来のアンテナと回路基板との当接状態を示す斜視図である。
【図１２】図１１のアンテナと回路基板との当接状態を示す平面図である。
【符号の説明】
【００６３】
１０  携帯電話機
１００  固定側筐体
１０１、１２１  筐体シャーシ
１１０  固定フロントケース
１１１  ダイヤルキー
１１２  機能キー
１１３  メニューキー
１１４  電話帳キー
１１５  テレビ電話キー
１１６  カメラキー
１１７  送話口
１１８  発音口
１２０  固定リアケース
１３０、１３０ａ  アンテナ
１３１、１３１ａ  アンテナ本体
１３２  延出部
１３３  円孔
１３４  接続バネ部材
１４０  ホルダ
１４１  通孔
１５０  警報スイッチ
１６０  回路基板
１６１  接続端子
１７０  スピーカ
１８０  固定板
１８１  切り欠き部
１９０  バッテリ収納部
２００  可動側筐体
２１０  可動フロントケース
２１１  ＬＣＤ（液晶表示装置）
２１２  受話口
２１３  撮影窓
２２０  可動リアケース
３００  ヒンジ
４００  取り付けネジ
【図１】
2008010981.tif 000003
【図２】
2008010981.tif 000004
【図３】
2008010981.tif 000005
【図４】
2008010981.tif 000006
【図５】
2008010981.tif 000007
【図６】
2008010981.tif 000008
【図７】
2008010981.tif 000009
【図８】
2008010981.tif 000010
【図９】
2008010981.tif 000011
【図１０】
2008010981.tif 000012
【図１１】
2008010981.tif 000013
【図１２】
2008010981.tif 000014